(57)【要約】【課題】使用環境の変化、適用システムの増設などで信号入出力部構成が変化しても、ソフトウェア製作等の費用が発生する問題や開発時間がかかる問題を解決する。【解決手段】入手した計測データ２５（３５）を処理する固有ソフトウェア２１ａ（３１ａ）をメモリ２１（３１）内に記憶させた信号入出力部２０（３０）と、この信号入出力部２０（３０）から入力された上記計測データ２５（３５）を処理する中央処理部１０とを備え、上記中央処理部１０と上記信号入出力部２０（３０）とが接続されると上記固有ソフトウェア２１ａ（３１ａ）を上記中央処理部１０のメモリ１１内に格納することを特徴とする監視制御装置。【選択図】図１
2006285916.tif 000002
【特許請求の範囲】
【請求項１】
入手した計測データを処理する固有ソフトウェアをメモリ内に記憶させた信号入出力部と、この信号入出力部から入力された上記計測データを処理する中央処理部とを備え、上記中央処理部と上記信号入出力部とが接続されると上記固有ソフトウェアを上記中央処理部のメモリ内に格納することを特徴とする監視制御装置。
【請求項２】
請求項１に記載の監視制御装置において、上記固有ソフトウェアは、計測データの表示、警報監視、計測データの定格値設定の少なくとも一の処理を行うソフトウェアであることを特徴とする監視制御装置。
【請求項３】
請求項１または請求項２に記載の監視制御装置において、上記中央処理部と上記信号入出力部の接続が解除されると、上記中央処理部内のメモリに記憶された固有ソフトウェアを削除することを特徴とする監視制御装置。
【請求項４】
請求項１〜請求項３の何れか一に記載の監視制御装置において、接続された信号入出力部のメモリ内のソフトウェアが、上記中央処理部のメモリ内に記憶された固有ソフトウェアと異なる場合に、当該接続された信号入出力部のメモリ内のソフトウェアが上記中央処理部のメモリ内に格納されることを特徴とする監視制御装置。
【請求項５】
請求項１〜請求項４の何れか一に記載の監視制御装置において、上記信号入出力部の上記メモリが外部メモリであり、上記中央処理部の上記メモリが内部メモリであることを特徴とする監視制御装置。
【請求項６】
請求項１〜請求項５の何れか一に記載の監視制御装置において、計測データが所定値を超えている場合、上記中央処理部から上記信号入出力部へ、計測データが所定値内に入る方向への負荷制御指令を出すことを特徴とする監視制御装置。
【発明の詳細な説明】
【技術分野】
【０００１】
この発明は、例えば工場、ビル、その他、或る限られた特定範囲内の配電系統、等における計測データを受信する監視制御装置に関するものである。
【背景技術】
【０００２】
従来の監視制御装置は、複数のサービスプロセッサとそれらを管理する統合監視装置とで構成され、計測データを統合監視装置とサービスプロセッサとの間で送受信する場合に、サービスプロセッサの使用環境に合わせて統合監視装置のメモリに専用の監視制御ソフトウェアを格納している。（例えば、特許文献１参照）
【０００３】
【特許文献１】特開平５−２０１１８号公報（図１及びその説明）
【発明の開示】
【発明が解決しようとする課題】
【０００４】
従来の監視制御装置は、サービスプロセッサの使用環境に合わせて統合監視装置のメモリに専用の監視制御ソフトウェアを格納しているため、使用環境の変化、適用システムの増設などがあると、監視制御ソフトウェアを新たに作成して当該新たに作成した監視制御ソフトウェアを遠隔保守センタから統合監視装置へ送信する必要があり、監視制御装置やサービスプロセッサを拡張する度に、ソフトウェア製作等の費用が発生する問題や開発時間がかかる問題があった。
【０００５】
また、上記の手段によらない場合は、事前に将来拡張されるであろう信号入出力部に合わせたソフトウェアを製作し、統合監視装置やサービスプロセッサのメモリに当該ソフトウェアを格納しておく必要があり、開発費用や時間がかかる問題があった。
【０００６】
この本発明は、上記のような課題を解決するためになされたもので、使用環境の変化、適用システムの増設などで信号入出力部構成が変化しても、ソフトウェア製作等の費用が発生する問題や開発時間がかかる問題を解決することを目的とするものである。
【課題を解決するための手段】
【０００７】
この発明に係る監視制御装置は、入手した計測データを処理する固有ソフトウェアをメモリ内に記憶させた信号入出力部と、この信号入出力部から入力された上記計測データを処理する中央処理部とを備え、上記中央処理部と上記信号入出力部とが接続されると上記固有ソフトウェアを上記中央処理部のメモリ内に格納するものである。
【発明の効果】
【０００８】
この発明による監視制御装置は、入手した計測データを処理する固有ソフトウェアをメモリ内に記憶させた信号入出力部と、この信号入出力部から入力された上記計測データを処理する中央処理部とを備え、上記中央処理部と上記信号入出力部とが接続されると上記固有ソフトウェアを上記中央処理部のメモリ内に格納するので、信号入出力部の構成が変化した場合や、将来想定していなかった機能を持つ信号入出力部を追加した場合において、中央処理部のソフトウェア変更は不要となり、開発費用、開発期間を削減することができる。
【発明を実施するための最良の形態】
【０００９】
実施の形態１．
以下この発明の実施の形態１を、監視制御装置の事例を示すブロック図である図１により説明する。
【００１０】
図１において、監視制御装置１００は、中央処理部１０、信号入出力部２０、及び信号入出力部３０で構成されている。監視制御装置１００は、例えば工場等に設置され、信号入出力部２０，３０は工場内の電力系統（例えば、単相２線式回路の系統、三相４線式回路の系統）毎に設けられる。
【００１１】
上記信号入出力部２０は例えば、単相２線式回路の電圧、電流などの計測データが入力される入出力部である。上記信号入出力部３０は例えば、三相４線式回路の電圧、電流などの計測データが入力される入出力部である。
【００１２】
上記中央処理部１０は、上記監視制御装置１００全体を稼動させるためのソフトウェアが記憶されている内部メモリ１１と、上記監視制御装置１００が実行するメイン処理や、上記信号入出力部２０、上記信号入出力部３０から入力された例えば電圧、電流などの計測データを後述の表示部１３で表示させるための処理を行うマイコン１２と、計測データを表示する表示部１３とで構成されている。
【００１３】
上記マイコン１２は、上記信号入出力部２０、３０からの計測データ２５、３５を収集し、信号入出力部２０、３０ごとの計測データ２５、３５の表示部１３への表示、表示部１３の表示画面切換、計測データ２５、３５の警報監視及び各入出力２４、３４へ後述の負荷２７，３７の制御出力を実行する。
【００１４】
上記内部メモリ１１には、マイコン１２が機能を実行するためのソフトウェア１１ａが記憶されると共に、上記信号入出力部２０、３０の固有ソフトウェア２１ａ、３１ａを統括するための統括ソフトウェア１１ｂが記憶されている。
【００１５】
上記信号入出力部２０は、上記単相２線式回路から入力された電圧、電流などの計測データ２５を上記中央処理部１０の上記表示部１３で表示させると共に、上記信号入出力部２０の警報監視制御、設定を行うための固有ソフトウェア２１ａが記憶された外部メモリ２１と、上記信号入出力部２０を稼動させるためのソフトウェア２２ａが記憶されていた内部メモリ２２と、上記信号入出力部２０の計測処理をするマイコン２３と、上記計測データ２５を計測し上記マイコン２３からの指令に基づいて負荷２７への制御出力を実行する入出力部２４とで構成されている。なお、上記固有ソフトウェア２１ａは、上記中央処理部１０の上記内部メモリ１１に格納して使用することができるソフトウェアである。
【００１６】
上記信号入出力部３０は、上記三相４線式回路から入力された電圧、電流などの計測データ３５を上記中央処理部１０の上記表示部１３で表示させると共に、上記信号入出力部３０の警報監視制御、設定を行うための固有ソフトウェア３１ａが記憶された外部メモリ３１と、上記信号入出力部３０を稼動させるためのソフトウェア３２ａが記憶されていた内部メモリ３２と、上記信号入出力部３０の計測処理をするマイコン３３と、上記計測データ３５を計測し上記マイコン３３からの指令に基づいて負荷３７への制御出力を実行する入出力３４とで構成されている。なお、上記固有ソフトウェア３１ａは、上記中央処理部１０の上記内部メモリ１１に格納して使用することができるソフトウェアである。
【００１７】
なお、上記中央処理部１０と上記信号入出力部２０とは、コネクタ１４により電気的に接続され、上記中央処理部１０と上記信号入出力部２０との間の信号の伝送は、例えばシリアルインターフェースであるＲＳ−４８５を用いて行われる。上記信号入出力部２０と上記信号入出力部３０とはコネクタ２６により電気的に接続され、上記信号入出力部２０と上記信号入出力部３０との間の信号の伝送を行う。
【００１８】
次に、以上のように構成された上記監視制御装置１００の動作について説明する。
【００１９】
監視制御装置１００が稼動すると、中央処理部１０の内部メモリ１１内のソフトウェア１１ａが読み出され、中央処理部１０のマイコン１２が起動する。ソフトウェア１１ａが実行されると、コネクタ１４、２６を介して信号入出力部２０、３０の内部メモリ２２、３２内に記憶された信号入出力部２０、３０を識別するために設けられた機種コードを読み出す。なお、機種コードは、信号入出力部２０、３０の機能により割り当てられた識別番号である。
【００２０】
機種コードが読み出されると、次に、機種コードに基づいて、信号入出力部２０、３０の固有ソフトウェア２１ａ，３１ａの位置を検出し、検出した固有ソフトウェア２１ａ，３１ａを、本例では、中央処理部１０に近い方の固有ソフトウェア２１ａから先に、内部メモリ１１に格納する。即ち、先ず、信号入出力部２０の外部メモリ２１内にある固有ソフトウェア２１ａを中央処理部１０の内部メモリ１１に格納する（矢印Ａ）。次いで、同様に、信号入出力部３０の外部メモリ３１内にある固有ソフトウェア３１ａを中央処理部１０の内部メモリ１１に格納する（矢印Ｂ）。内部メモリ１１に固有ソフトウェア２１ａ，３１ａが格納されることにより、ソフトウェア１１ａと固有ソフトウェア２１ａ，３１ａとが統括ソフトウェア１１ｂによって実行可能となる。
【００２１】
次に、信号入出力部２０のマイコン２３が、内部メモリ２２内に記憶されているソフトウェア２２ａにより起動され、この起動により信号入出力部２０が起動すると、入出力部
２４から入力された電圧、電流などの計測データから、例えば、電力、電力量を求める演算をする。同様に、信号入出力部３０のマイコン３２は、内部メモリ３２内に記憶されているソフトウェア３２ａにより起動され、この起動により信号入出力部３０が起動すると、入出力部３４から入力された電圧、電流などの計測データ３５を上記同様に演算する。
【００２２】
次に、中央処理部１０が内部メモリ１１内の固有ソフトウェア２１ａを用いてデータ収集命令を実行すると、信号入出力部２０の入出力部２４から入力されマイコン２３で処理された計測データ２５は、コネクタ１４を介して、中央処理部１０の内部メモリ１１の図示しないデータ記憶部に格納される。同様に、マイコン３３で処理された計測データ３５もコネクタ２６、１４を介して内部メモリ１１の図示しないデータ記憶部に格納される。中央処理部１０は、内部メモリ１１の図示しないデータ記憶部内に格納された計測データ２５、３５を表示部１３で固有ソフトウェア２１ａ，３１ａを用いて信号入出力部２０，３０ごとに表示する。
【００２３】
次に、中央処理部１０は、自己のマイコン１２によって、内部メモリ１１内に格納された計測データ２５が、例えば信号入出力部２０の電流の上限値と下限値を設定した上下限設定値を超えていないかどうか等の判定処理をし、判定処理の結果、上下限設定値を超えていた場合は、計測データ２５が異常であることを知らせるための警報アラーム発生命令
を、コネクタ１４を介して信号入出力部２０に送信する。つまり、中央処理部１０は、警報監視機能を有している。警報アラーム発生命令を受信した信号入出力部２０は、ブザー音やＬＥＤ点滅などの警報アラームを発生させる。次に、中央処理部１０は、信号入出力部３０に対しても同様に、内部メモリ１１内に格納された計測データ３５が信号入出力部３０の上下限設定値を超えていないかどうかの判定処理をする。
【００２４】
例えば、電圧の定格値が中央処理部１０の内部メモリ１１の図示しない設定値領域に設定してある。定格値の設定は、中央処理部１０の稼動中に、表示部１３の図示しない設定ボタンにより設定、変更を行う。
【００２５】
中央処理部１０は、内部メモリ１１内に格納された計測データ２５が設定値の範囲外である場合は、負荷を遮断したりする必要があるため、計測データ２５に基づいてマイコン１２により、信号入出力部２０を制御するための制御演算処理をし、負荷を遮断する必要がある場合は、負荷遮断の制御出力命令を信号入出力部２０に送信する。中央処理部１０から負荷遮断の制御出力命令を受信した信号入出力部２０は、入出力部２４で制御出力を負荷２７に送信し、負荷を遮断または制御する。同様に、中央処理部１０は、信号入出力部３０に対しても同様の制御を行い、信号入出力部３０は上記信号入出力部２０の場合と同様に動作する。
【００２６】
監視制御装置１００を停止する命令を実行すると、中央処理部１０と信号入出力部２０、３０との接続が解除され、中央処理部１０の内部メモリ１１に有る固有ソフトウェア２１ａ、３１ａが削除される。不要なソフトウェアは削除されているので、内部メモリ１１の容量が空き、次回起動時に、例えば、中央処理部１０に連結される信号入出力部の種類が多い場合でも、必要なソフトウェアを多く格納することが可能である。
【００２７】
なお、図１の監視制御装置１００は、中央処理部１０と２つの信号入出力部２０，３０とから構成されたが、信号入出力部が1つ、あるいは異なる機能を有する信号入出力部が３
つ以上の場合であってもよい。
【００２８】
なお、上記の動作において、中央処理部１０は、機種コードの識別ができなければ、「信号入出力部なし」と判断して、中央処理部１０の内部メモリ１１への固有ソフトウェアの格納を中止し、中央処理部１０は監視制御を実行しない。
【００２９】
以上のようにこの発明の実施の形態１によれば、固有ソフトウェア２１ａ、３１ａを信号入出力部２０、３０ごとに記憶させ、監視制御装置１００の稼動中に中央処理部１０の内部メモリ１１に信号入出力部２０、３０の固有ソフトウェア２１ａ、３１ａを格納するようにしたので、信号入出力部２０、３０の構成が変化した場合や、将来想定していなかった機能を持つ信号入出力部を追加した場合に、従来必要であった中央処理部１０のソフトウェア変更は不要となり、開発費用、開発期間を削減することができるという効果がある。
【００３０】
また、上述の実施の形態１では、計測データ２５、３５を表示部１３で表示するようにしたが、図示しない入出力端子から、計測データ２５、３５を外部へ通信するようにしてもよい。
【００３１】
実施の形態２．
以下この発明の実施の形態２を、監視制御装置の事例を示すブロック図である図２により説明する。なお、図２において、図１と同一または相当部分には図１と同一符号を付してある。
【００３２】
図２において、監視制御装置２００は、中央処理部１０と信号入出力部２０と信号入出力部３０及び信号入出力部４０とで構成されており、単相２線式回路からの計測データが入力される上記信号入出力部２０と、三相４線式回路からの計測データが入力される上記信号入出力部３０とは実施の形態１に示したものと同様であるが、上記信号入出力部４０は上記信号入出力部２０と同じ単相２線式回路からの計測データが入力される信号入出力部である。例えば、信号入出力部２０は、単相２線式回路の工場照明の電力系統、信号入出力部４０は、単相２線式回路の工場動力源の電力系統に設けられる。
【００３３】
中央処理部１０は、上記監視制御装置２００を運転させるためのソフトウェアが記憶されている内部メモリ１１と、上記監視制御装置２００のメイン処理、例えば計測データを表示する処理を行うマイコン１２と、計測データを表示する表示部１３とで構成されている。上記マイコン１２は上記各信号入出力部２０，３０，４０からの計測データの収集、信号入出力部２０，３０，４０ごとの計測データの表示、表示画面切換、監視及び各信号入出力部２０，３０，４０への制御出力を実行する。上記内部メモリ１１には、上記中央処理部１０の処理を実行するための上ソフトウェア１１ａと、固有ソフトウェア２１ａ，３１ａを統括するための統括ソフトウェア１１ｂが記憶されている。
【００３４】
上記中央処理部１０と上記信号入出力部２０とはコネクタ１４により電気的に接続され、上記中央処理部１０と上記信号入出力部２０との間の信号の伝送が行われる。上記信号入出力部２０と上記信号入出力部３０とは、コネクタ２６により電気的に接続され、上記信号入出力部２０と上記信号入出力部３０との間の信号の伝送が行われる。上記信号入出力部３０と上記信号入出力部４０とは、コネクタ３６により電気的に接続され、上記信号入出力部３０と上記信号入出力部４０との間の信号の伝送が行われる。
【００３５】
次に、以上のように構成された上記監視制御装置２００の動作について説明する。
【００３６】
監視制御装置２００が稼動すると、中央処理部１０の内部メモリ１１内のソフトウェア１１ａが読み出され、中央処理部１０のマイコン１２が起動する。ソフトウェア１１ａが実行されると、コネクタ１４、２６、３６を介して信号入出力部２０、３０、４０の内部メモリ２２、３２、４２内に記憶された信号入出力部２０、３０、４０を識別するために設けられた機種コードを読み出す。
【００３７】
信号入出力部２０と信号入出力部４０は同じ機種コードであるため、信号入出力部２０、３０の固有ソフトウェア２１ａ，３１ａの位置を検出し、検出した固有ソフトウェア２１ａ，３１ａを、本例では、中央処理部１０に近い方の固有ソフトウェア２１ａから先に、内部メモリ１１に格納する。即ち、先ず、信号入出力部２０の外部メモリ２１にある固有ソフトウェア２１ａを中央処理部１０の内部メモリ１１に格納する（矢印Ａ）。次いで、同様に、信号入出力部３０の外部メモリ３１にある固有ソフトウェア３１ａを中央処理部１０の内部メモリ１１に格納する（矢印Ｂ）。信号入出力部４０の外部メモリ４１にある固有ソフトウェア４１ａは固有ソフトウェア２１ａと同じであるため、内部メモリ１１に格納せず、起動時間の短縮を行う。内部メモリ１１に固有ソフトウェア２１ａ，３１ａが格納されることにより、ソフトウェア１１ａと固有ソフトウェア２１ａ，３１ａとが統括ソフトウェア１１ｂによって実行可能となる。なお、接続された信号入出力部４０の外部メモリ４１内のソフトウェアが、上記中央処理部１０の内部メモリ１１内に記憶された固有ソフトウェア（先に格納された信号入出力部２０の固有ソフトウェア）と異なる場合には、当該接続された信号入出力部４０の外部メモリ４１内の固有ソフトウェアは上記中央処理部１０の内部メモリ１１内に格納される。
【００３８】
次に、信号入出力部２０のマイコン２３が、内部メモリ２２内に記憶されているソフトウェア２２ａにより起動され、この起動により信号入出力部２０が起動すると、入出力部２４から入力された電圧、電流などの計測データ２５を計測演算する。同様に、信号入出力部３０のマイコン３２は、内部メモリ３２内に記憶されているソフトウェア３２ａにより起動され、この起動により信号入出力部３０が起動すると、入出力部３４から入力された電圧、電流などの計測データ３５を計測演算する。同様に、信号入出力部４０のマイコン４２は、内部メモリ４２内に記憶されているソフトウェア４２ａにより起動され、この起動により信号入出力部４０が起動すると、入出力部４４から入力された電圧、電流などの計測データ４５を計測演算する。
【００３９】
中央処理部１０は、信号入出力部２０，３０，４０からデータを収集し、実施の形態１と同様に、各信号入出力部２０，３０，４０への警報監視及び制御出力を実行する。
【００４０】
以上のようにこの発明の実施の形態２によれば、固有ソフトウェア２１ａ，３１ａを信号入出力部２０，３０，４０ごとに持たせ、同じ機能を有する信号入出力部２０，４０が存在する場合、重複する２台目以降は中央処理部１０にソフトウェアを格納しないようにしたので、監視制御装置２００の起動時間を短縮することができるという効果がある。
【００４１】
なお、上述のこの発明の実施の形態１及び２において、上記信号入出力部２０，３０，４０の固有ソフトウェア２１ａ，３１ａ，４１ａを上記信号入出力部２０，３０，４０の内部メモリ２２，３２，４２に格納し、また、当該固有ソフトウェア２１ａ（３１ａ，４１ａ）を中央処理部１０の外部メモリ（図示せず）に格納するようにしてもよいが、上述のように、上記信号入出力部２０，３０，４０の固有ソフトウェア２１ａ，３１ａ，４１ａを上記信号入出力部２０，３０，４０の外部メモリ２１，３１，４１に格納するようにした方が、上記信号入出力部２０，３０，４０の固有ソフトウェアの変更が容易であり、また、当該固有ソフトウェア２１ａ（３１ａ，４１ａ）を中央処理部１０の内部メモリ１１に格納するようにした方が、マイコン１２からメモリへのアクセス時間が速く、中央処理部１０の処理が早くなるので好ましい。
【図面の簡単な説明】
【００４２】
【図１】この発明の実施の形態１を示す図で、監視制御装置の模式図の事例を示すブロック図である。
【図２】この発明の実施の形態２を示す図で、監視制御装置の模式図の事例を示すブロック図である。
【符号の説明】
【００４３】
１０    中央処理部、
１１    内部メモリ、
１１ａ    ソフトウェア（マイコン１２用）、
１１ｂ    統括ソフトウェア、
１２    マイコン、
１３    表示部、
１４    コネクタ、
２０    信号入出力部、
２１    外部メモリ、
２１ａ    固有ソフトウェア、
２２    内部メモリ、
２２ａ    ソフトウェア（信号入出力部２０用）、
２３    マイコン、
２４    入出力、
２５    計測データ、
２６    コネクタ、
２７    負荷、
３０    信号入出力部、
３１    外部メモリ、
３１ａ    固有ソフトウェア、
３２    内部メモリ、
３２ａ    ソフトウェア（信号入出力部３０用）、
３３    マイコン、
３４    入出力、
３５    計測データ、
３６    コネクタ、
３７    負荷、
４０    信号入出力部、
４１    外部メモリ、
４１ａ    固有ソフトウェア、
４２    内部メモリ、
４２ａ    ソフトウェア（信号入出力部４０用）、
４３    マイコン、
４４    入出力、
４５    計測データ、
４６    負荷、
１００    監視制御装置、
２００    監視制御装置。
【図１】
2006285916.tif 000003
【図２】
2006285916.tif 000004